(57)【要約】      （修正有）【課題】臭いを封入している容器を搬送することが容易であり、しかも、一定量の臭いを確実に発生することができる臭い発生装置を提供する。【解決手段】容積を一定に設定し、量を一定に維持された臭いがカプセル本体に封入されているカプセル１０と、カプセル本体を破壊するレーザー光２２を発生するレーザー２１とを有する。カプセルにレーザー光を照射すると、カプセル本体が溶融し、破壊され、封入されている臭いが、カプセル本体の周囲に拡散する。【選択図】図２
2016150043.tif 000002
【特許請求の範囲】
【請求項１】
カプセル本体と；
上記カプセル本体に封入されている所定の臭いと；
を有することを特徴とするカプセル。
【請求項２】
請求項１において、
上記臭いは、気体、液体、固体のうちの少なくとも１つであることを特徴とするカプセル。
【請求項３】
請求項１において、
上記カプセル本体は、レーザー光で破壊される程度の強度を有することを特徴とするカプセル。
【請求項４】
請求項１において、
上記カプセル本体は、防水通気性を有し、
上記カプセル本体に封入されている所定の臭いは、液体であることを特徴とするカプセル。
【請求項５】
所定の臭いがカプセル本体に封入されているカプセルと；
上記カプセル本体を破壊または加熱するレーザー光を発生するレーザーと；
を有することを特徴とする臭い発生装置。
【請求項６】
請求項５において、
上記レーザーは、間欠的にレーザー光を発生する手段であることを特徴とする臭い発生装置。
【請求項７】
請求項５において、
上記レーザーは、上記カプセルが移動する経路の一部であって、上記カプセルを覆う範囲を、連続的に照射する手段であることを特徴とする臭い発生装置。
【請求項８】
請求項５において、
上記カプセルを１つずつ移動するカプセル移動手段を有することを特徴とする臭い発生装置。
【請求項９】
請求項５において、
上記レーザーによる上記カプセルの破壊または加熱タイミングを制御する制御手段を有することを特徴とする臭い発生装置。
【請求項１０】
臭いが封入されているカプセルを所定位置に移動するカプセル移動手段と；
上記所定位置に移動されたカプセルを破壊または加熱するレーザー光を発生するレーザーと；
上記レーザー光が上記カプセルを破壊または加熱した後に、上記臭いを消去する消臭手段と；
を有することを特徴とする臭い発生・消臭装置。
【請求項１１】
請求項１０において、
上記レーザーがレーザー光を発生する動作と、上記消臭手段が消臭する動作とを、交互に繰り返すことによって、臭いを間欠的に発生することを特徴とする臭い発生・消臭装置。
【請求項１２】
請求項１０において、
上記カプセルが複数、設けられている場合に、カプセル毎に、同じ臭いまたは異なる臭いが封入されていることを特徴とする臭い発生・消臭装置。
【請求項１３】
請求項１０において、
上記消臭手段は、人の鼻の近傍に設けられている光触媒と、光を上記光触媒に導く光ファイバとによって構成されていることを特徴とする臭い発生・消臭装置。
【請求項１４】
被験者の鼻を覆うマスクと；
反応検査試料である臭いが封入されているカプセルを、被験者の鼻の近傍に移動するカプセル移動手段と；
上記カプセルを破壊または加熱するレーザー光を発生するレーザーと；
レーザー光が上記カプセルを破壊または加熱した後に、上記鼻の周辺で、上記臭いを消去する消臭手段と；
上記被験者の脳の状態を検査する脳検査手段と；
を有することを特徴とする臭いによる脳の反応を調べる装置。
【請求項１５】
請求項１４において、
上記脳検査手段は、ＭＲＩ、ＭＥＧ、ＮＩＲＳ、脳磁計、脳波計のうちの少なくとも１つであることを特徴とする臭いによる脳の反応を調べる装置。
【請求項１６】
請求項１４において、
上記レーザーがレーザー光を発生する動作と、上記消臭手段が消臭する動作とを、交互に繰り返すことによって、臭いを間欠的に発生することを特徴とする臭いによる脳の反応を調べる装置。
【発明の詳細な説明】
【技術分野】
【０００１】
本発明は、カプセル、臭い発生装置、臭いによる脳の反応を調べるための臭い発生装置、臭いによる脳の反応を調べる装置に関する。
【背景技術】
【０００２】
従来の香気供給装置は、複数の香気試験瓶のそれぞれが個別のホースの一端に接続され、ホースの他端に匂い吐出具（ロート）が接続され、このロートから吐出される香気を被験者が嗅ぐ。なお、ホースの途中に香気弁が設けられ、この弁の開閉を制御することによって、複数の香気試験瓶からの香気を選択して被験者に供給する。また、被験者が香気を嗅いでいる間に、脳波計によって、被験者の脳の活動状態を検出する（たとえば、特許文献１参照）。
【先行技術文献】
【特許文献】
【０００３】
【特許文献１】特開昭６２−２３１６３８
【発明の概要】
【発明が解決しようとする課題】
【０００４】
上記従来例では、香気が香気瓶に封入されているので、香気を搬送する場合には、瓶を搬送する必要があり、瓶の破損に気を使う等、搬送が煩雑であるという問題がある。
【０００５】
また、上記従来例では、香気が封入されている香気瓶をホースに接続し、また、ホースの途中に弁を設けるので、香気を嗅いでいる被験者の脳の活動を検査する準備が煩雑であるという問題がある。
【０００６】
さらに、上記従来例では、弁の開放時間によって、被験者の鼻に供給される香気の量が制御され、弁の開放時間を制御する必要があり、この弁の開放時間制御が煩雑であり、また、開放時間を正確に制御できたとしても、弁の開放時間と放出される香気の量との関係が一定であるとは限らず、したがって、放出すべき香気の量を一定に保つことが困難であるという問題がある。
【０００７】
上記問題は、香気以外の臭いについても生じる問題である。
【０００８】
本発明は、封入した臭いが拡散する拡散量を一定に維持することができ、しかも、臭いを封入している容器を搬送することが容易であるカプセルを提供することを目的とする。
【０００９】
また、本発明は、臭いが拡散する拡散量を一定に維持することができる臭い発生装置を提供することを目的とする。
【００１０】
さらに、本発明は、発生する臭いの量を一定に維持することでき、また、発生した臭いを迅速に消去することができる臭い発生・消臭装置を提供することを目的とする。
【課題を解決するための手段】
【００１１】
本発明のカプセルは、カプセル本体と、上記カプセル本体に封入されている所定の臭いとを有することを特徴とする。
【００１２】
本発明の臭い発生装置は、所定の臭いがカプセル本体に封入されているカプセルと、上記カプセル本体を破壊するレーザー光を発生するレーザーとを有することを特徴とする。
【００１３】
本発明の臭い発生・消臭装置は、臭いが封入されているカプセルを所定位置に移動するカプセル移動手段と、上記所定位置に移動されたカプセルを破壊するレーザー光を発生するレーザーと、レーザー光が上記カプセルを破壊した後に、上記臭いを消去する消臭手段とを有することを特徴とする。
【発明の効果】
【００１４】
本発明のカプセルによれば、封入した臭いが拡散する拡散量を一定に維持することができ、しかも、臭いを封入している容器を搬送することが容易であるという効果を奏する。
【００１５】
また、本発明の臭い発生装置によれば、臭いを封入している容器を搬送することが容易であり、しかも、一定量の臭いを確実に発生することできるという効果を奏する。
【００１６】
本発明の臭い発生・消臭装置によれば、臭いを封入している容器を搬送することが容易であり、しかも、一定量の臭いを確実に発生することでき、また、発生した臭いを迅速に消去することができるという効果を奏する。
【図面の簡単な説明】
【００１７】
【図１】本発明の実施例１であるカプセル１０を示す図である。
【図２】本発明の実施例２である臭い発生装置２０の中心部分を示す図である。
【図３】臭い発生装置２０をより具体的に示す図である。
【図４】本発明の実施例３である臭い発生・消臭装置３０を示す図である。
【図５】図４に示すＶ−Ｖ線から臭い発生・消臭装置３０を見た断面図である。
【図６】臭い発生・消臭装置３０の動作を示すフローチャートである。
【図７】本発明の実施例４である臭いによる脳の反応を検査するＭＲＩ検査装置１００を示す図である。
【図８】図７に示すマスクＭと臭い処理装置４０とを具体的に示す図である。
【図９】本発明の実施例５であるカプセル１０ａを示す図である。
【発明を実施するための形態】
【００１８】
発明を実施するための形態は、以下の実施例である。
【実施例１】
【００１９】
図１は、本発明の実施例１であるカプセル１０を示す図である。
図１（１）は、カプセル１０の外観図であり、図１（２）は、図１に示すカプセル１０の断面図である。
【００２０】
カプセル１０は、臭い封入装置の一例であり、カプセル本体１１と、臭い１２とによって構成されている。
【００２１】
臭い１２は、気体、液体または固体（微粉末等を含む）で構成されている。カプセル本体１１は、薄い殻で構成されている。臭い１２は、アンモニア等の刺激臭、香料を含む香水の臭い、柑橘系の臭い等であり、この他に、汗の臭い、腐敗臭、焦げた臭い、花の臭い、魚等の食材の臭い、料理の臭い等、世の中に存在している全ての臭いが考えられる。
【００２２】
また、カプセル本体１１は、無臭であり、これが溶融した場合も無臭である。
【００２３】
なお、カプセル本体１１の形状は、球であってもよく、断面が楕円形または長円形である一般的なカプセルの形状であってもよく、さらには、上記とは異なる形状を有するものであってもよい。
【００２４】
カプセル１０によれば、カプセル本体１１の形状または容量を一定にし、封入すべき臭い１２の濃度を一定にすれば、封入した臭い１２の量を一定に維持することができ、したがって、臭いの発生量を正確に制御することができる。しかも、臭い１２を封入している容器（カプセル１０）は、ガラス瓶のように破損を心配する必要がない材料を使えば、搬送することが容易である。
【実施例２】
【００２５】
図２は、本発明の実施例２である臭い発生装置２０の中心部分を示す図である。
【００２６】
臭い発生装置２０は、カプセル１０と、レーザー２１とを有する。
【００２７】
カプセル１０は、その殻となるカプセル本体１１で構成されている。カプセル本体１１には、所定の臭い１２が封入されている。また、カプセル１０の形状（容積）を一定の大きさに設定すれば、臭い１２の量を一定に維持することができ、つまり、どのカプセル１０でも、同じ量の臭いが封入されている。したがって、カプセル１０を破壊した場合に発生する臭いの量を、確実に制御することができる。
【００２８】
なお、カプセル１０が複数、設けられている場合には、カプセル１０毎に、同じ臭いまたは異なる臭いが封入されているようにしてもよい。
【００２９】
レーザー２１は、カプセル本体１１を破壊するレーザー光２２を発生する。カプセル１０にレーザー光２２を照射すると、カプセル本体１１が溶融し、破壊され、封入されている臭いが、カプセル本体１１の周囲に拡散する。
【００３０】
また、レーザー２１は、間欠的にレーザー光２２を発生する。
【００３１】
図３は、臭い発生装置２０をより具体的に示す図である。
【００３２】
図３に示す臭い発生装置２０は、レーザー光２２を発生するレーザー２１と、凸レンズ２３と、カプセル貯蔵パイプＰ１と、シャッター２４と、シャッター制御手段２４ｃと、エアー噴射装置２５と、カプセル供給パイプＰ２と、エアー吸引パイプＰ３と、エアー吸引装置２６とを有する。
【００３３】
凸レンズ２３は、レーザー光２２を集光し、集光したレーザー光２２をカプセル１０に照射する。
【００３４】
カプセル貯蔵パイプＰ１は、パイプの軸が鉛直に設置され、複数個のカプセル１０が積層され、最下層のカプセル１０の下に、シャッター２４が設けられ、シャッター制御手段２４ｃがシャッター２４を水平方向に往復運動させることによって、１つのカプセル１０が落下する。
【００３５】
エアー噴射装置２５は、エアーを噴射することによって、上記のように落下したカプセル１０を横方向から押し、凸レンズ２３で集光されたレーザー光２２によるカプセル破壊位置ＰＳにカプセル１０が位置する。エアー噴射装置２５がエアーを噴射すると同時に、エアー吸引装置２６がエアーを吸引し、これによって、カプセル１０が上記カプセル破壊位置ＰＳに導かれ易い。
【００３６】
カプセル破壊位置ＰＳにカプセル１０が位置すると、レーザー２１がレーザー光２２を出射し、レーザー光２２がカプセル１０のカプセル本体１１を照射し、カプセル本体１１が溶融するので、カプセル１０が破壊される。
【００３７】
なお、たとえば、上記カプセル破壊位置ＰＳに、カプセル１０の移動を停止させる突起等のストッパを設けるようにすれば、カプセル１０を上記カプセル破壊位置ＰＳに確実に停止させることができる。
【００３８】
また、レーザー２１が、常時または一定時間連続的に、レーザー光を照射するようにしてもよい。
【００３９】
上記破壊によって、カプセル１０に封入されている臭い１２が拡散される。これによって、臭いが発生する。カプセル本体１１が破壊されると同時にカプセル本体１１が蒸発するようにしてもよい。
【００４０】
カプセル１０が破壊されてから所定時間経過後に、エアー吸引装置２６がエアーを吸引し、エアー吸引パイプＰ３を介して、発生した臭いと、カプセル本体１１が蒸発した気体とを外部に吸引するようにしてもよい。
【００４１】
臭い発生装置２０によれば、臭いを封入している容器（カプセル１０）を搬送することが容易であり、しかも、カプセル１０の容積、封入されている臭い１２の濃度を一定にすれば、カプセル１０を破壊する毎に、一定量の臭いを確実に発生することできる。
【実施例３】
【００４２】
図４は、本発明の実施例３である臭い発生・消臭装置３０を示す図である。
【００４３】
図５は、図４に示すＶ−Ｖ線から臭い発生・消臭装置３０を見た断面図である。
【００４４】
臭い発生・消臭装置３０は、臭いを発生するとともに発生した臭いを消臭する装置である。また、臭い発生・消臭装置３０は、臭い発生装置２０に、可視光発生源３１と、光ファイバＦ２と、光ファイバＦ３と、凹レンズ３３と、二酸化チタン膜３４と、二酸化チタン膜３４に設けられている透孔３５と、遮蔽板３６と、呼気通路３７と、吸気通路３８と、マスクＭとが付加されている装置である。
【００４５】
可視光発生源３１は、可視光３２を発生し、光ファイバＦ２は、レーザー光２１が凸レンズ２３に向かう経路を形成する。光ファイバＦ３は、可視光３２が凹レンズ３３に向かう経路を形成する。
【００４６】
凹レンズ３３は、可視光３２を拡散し、二酸化チタン膜３４のより広い範囲に向かわせる。二酸化チタン膜３４は、可視光３２によって励起され、二酸化チタン膜３４が励起すると、二酸化チタン膜３４が消臭機能を発揮する。二酸化チタン膜３４に設けられている透孔３５は、凸レンズ２３によって集光されたレーザー光２２がカプセル１０に照射される場合の経路を確保するための透孔である。
【００４７】
遮蔽板３６は、レーザー光２２がカプセル１０を照射する場合に、レーザー光２２が鼻Ｎを照射することを阻止するためのものである。
【００４８】
呼気通路３７は、人が呼吸する際に吐いた息を外部に排出する通路である。吸気通路３８は、人が呼吸する際に吸う息を外部から取り入れる通路である。
【００４９】
マスクＭは、柔軟性を有するやや厚手のシート状であり、被験者の鼻Ｎを覆い、つまり、凸レンズ２３、凹レンズ３３、二酸化チタン膜３４、遮蔽板３６を包みながら、鼻Ｎの少なくとも先端を覆う。
【００５０】
次に、臭い発生・消臭装置３０の動作について説明する。
【００５１】
図６は、臭い発生・消臭装置３０の動作を示すフローチャートである。
【００５２】
まず、Ｓ１で、パイプＰ１にカプセル１０を複数個、セットし、鼻Ｎに、マスクＭを装着する。
【００５３】
Ｓ２で、シャッター制御手段２４ｃが、シャッター２４を横方向に往復動することによって、カプセル１０が１つ落下する。
【００５４】
カプセル１０が１つ落下すると、Ｓ３で、エアー噴射装置２５がエアーを噴射することによって、落下したカプセル１０が、カプセル供給パイプＰ２を通って、凸レンズ２３が集光したレーザー光２２によるカプセル破壊位置ＰＳに到達する。なお、上記エアー噴射装置２５がエアーを噴射することに同期して、エアー吸引装置２６がエアーを吸引すると、カプセル１０の移動が円滑になる。
【００５５】
Ｓ４で、レーザー２１がレーザー光２２を出射し、このレーザー光２２が凸レンズ２３で集光され、レーザー光２２の単位面積当たりのレーザーパワーが上昇し、カプセル１０を照射する。このレーザー光２２の照射によって、カプセル１０が破壊され、封入されている臭い１２が発生し、鼻Ｎの周囲に拡散する。
【００５６】
Ｓ５で、発生した臭い１２が被験者の鼻Ｎに到達し、被験者が臭い１２を感じる。この感じ方によって、被験者の脳の反応（活動）が異なる。
【００５７】
Ｓ６で、臭い１２が発生してから所定時間後に、可視光発生源３１が可視光３２を出射し、この可視光３２が凹レンズによって拡散され、二酸化チタン膜３４にレーザー光が照射されると、二酸化チタン膜３４が励起され、二酸化チタン膜３４が消臭機能を発揮する。なお、二酸化チタン膜３４は、透明の基板に二酸化チタンが膜状に形成され、図４中、鼻Ｎ側に二酸化チタンが形成されている。また、図４では、二酸化チタン膜３４がカプセル１０の移動経路と凹レンズ３３との間に設けられているが、カプセル１０の移動経路と鼻Ｎとの間に設けるようにしてもよい。この場合、二酸化チタン膜３４に透孔を設け、臭い１２が鼻Ｎに到達し易くすることが好ましい。
【００５８】
上記のように、二酸化チタン膜３４が消臭機能を発揮した後に、Ｓ７で、２つ目以降のカプセル１０を使用して臭いを、新たに発生する必要があると判断されれば、Ｓ２〜Ｓ６の動作を繰り返す。つまり、レーザー２１がレーザー光２２を発生し、臭いを発生する動作と、可視光発生源３１が可視光３２を照射することによって消臭する動作とを、交互に繰り返すことによって、臭いを間欠的に発生し、その都度消臭する。
【００５９】
なお、二酸化チタン膜３４は、光触媒の一種であり、シートに塗布されていてもよい。この場合、上記シートは、透明のシートまたは透孔を有するシートである。
【００６０】
臭い発生・消臭装置３０によれば、臭いを封入している容器（カプセル）１０を搬送することが容易であり、しかも、一定量の臭いを確実に発生することでき、また、発生した臭いを迅速に消去することができる。
【００６１】
なお、臭い発生・消臭装置３０において、カプセル１０には、同じ種類の臭いであり同じ濃度の臭いを、２つのカプセル１０に封入するようにしてもよく、同じ種類の臭いであり異なる濃度の臭いを、別のカプセル１０に封入するようにしてもよい。また、２つのカプセル１０のうちの１つに封入した臭い１２と異種同濃度の臭いを、２つ目のカプセル１０に封入するようにしてもよく、異種異濃度の臭いを、２つ目のカプセル１０に封入するようにしてもよい。この場合、カプセル１０に、臭いの種類、濃度を表示するようにしてもよい。
【００６２】
シャッター制御装置２４ｃ、エアー噴射装置２５は、カプセル１０を被験者の鼻の近傍に移動するカプセル移動手段の例であるが、他のカプセル移動手段を使用するようにしてもよい。また、上記カプセル移動手段は、カプセル１０に封入されている臭いの濃度が次第に高くなる順に、カプセル１０をセットするようにしてもよい。さらに、カプセル１０に封入されている臭いの刺激が次第に強くなる順に、カプセル１０をセットするようにしてもよい。
【００６３】
臭い発生・消臭装置３０を使用して、被験者の脳の活動状態を調べる場合、ＮＩＲＳ、脳磁計、脳波計を使用することができる。
【００６４】
また、カプセル１０が移動する経路の一部であって、カプセル１０を覆う範囲を、レーザー光２２で連続的に照射するように、レーザー２１を駆動してもよい。このようにして連続照射すれば、カプセル１０が移動するタイミングに合わせてレーザー光２２を照射する必要がなく、レーザー２２の制御が容易である。
【実施例４】
【００６５】
図７は、本発明の実施例４である臭いによる脳の反応を検査するＭＲＩ検査装置１００を示す図である。
【００６６】
臭いによる脳の反応を検査するＭＲＩ検査装置１００は、カプセル１０が破壊されたときに鼻Ｎの近傍に拡散された臭い１２を嗅いだ被験者Ｐの脳の反応（活動状態）をＭＲＩ６０が検査する装置である。
【００６７】
図８は、図７に示すマスクＭと臭い処理装置４０とを具体的に示す図である。
【００６８】
臭いによる脳の反応を検査するＭＲＩ検査装置１００は、準備室Ｒ１とＭＲＩ室Ｒ２とを有する。
【００６９】
準備室Ｒ１には、臭い処理装置４０と、記憶装置５１と、表示装置５２と、制御装置５３とが設けられている。
【００７０】
ＭＲＩ室Ｒ２には、ＭＲＩ６０が設けられ、ＭＲＩ６０内に被験者Ｐが横たわる。
【００７１】
ＭＲＩ室Ｒ２に横たわっている被験者Ｐの鼻Ｎの近傍に、図４、図５に示す凸レンズ２３、凹レンズ３３、二酸化チタン膜３４、遮蔽板３６と、これらを覆うマスクＭとが設けられている。
【００７２】
準備室Ｒ１に設けられている臭い処理装置４０には、図４、図５に示すカプセル貯蔵パイプＰ１、シャッター２４、シャッター制御装置２４ｃ、エアー噴射装置２５、エアー吸引装置２６、レーザー２１、光ファイバＦ２、可視光発生源３１、光ファイバＦ３と、図示しないレーザー制御手段とが設けられている。また、カプセル供給パイプＰ２、エアー吸引パイプＰ３、光ファイバＦ２、Ｆ３が一纏めになってパイプ集合体Ｐ４が形成され、このパイプ集合体Ｐ４が、被験者Ｐの鼻Ｎの先端に設けられているマスクＭと、臭い処理装置４０とに接続されている。
【００７３】
記憶装置５１は、ＭＲＩ６０が検査した被験者Ｐの脳の活動状態のデータ、制御装置５３による制御内容等を記憶する。
【００７４】
表示装置５２は、ＭＲＩ６０が検査した被験者Ｐの脳の活動状態（特に被験者Ｐの鼻に供給した臭いに対応した脳の活動状態）を表示し、また、カプセル貯蔵パイプＰ１に貯蔵されているカプセル１０に封入されている臭い、その濃度等を表示し、被験者Ｐの鼻Ｎに供給した臭いの種類、量等を表示する装置である。
【００７５】
制御装置５３は、レーザー２１、可視光発生源３１、シャッター制御装置２４ｃ、エアー噴射装置２５、エアー吸引装置２６、ＭＲＩ６０を制御する装置である。
【００７６】
次に、臭いによる脳の反応を検査するＭＲＩ検査装置１００の動作について説明する。
【００７７】
カプセル１０に封入されている臭い１２は、カプセル本体１１が破壊され、人Ｐの鼻Ｎの近傍に臭い１２が漂っていると、人の鼻Ｎで感知され、その臭い１２に応じて、人の脳が反応し、ＭＲＩ６０で、脳の反応を検査する。つまり、ＭＲＩ検査装置１００において、臭い１２は、反応検査試料である。
【００７８】
図６に示す臭い発生・消臭装置３０の動作と同様に、レーザー２１がレーザー光２２を発生し、臭いを発生する動作と、可視光発生源３１が可視光３２を照射することによって消臭する動作とを、交互に繰り返す。この過程で、ＭＲＩ６０によって、被験者Ｐの脳の活動を検査することができる。つまり、どの臭いをどの位の量を、鼻Ｎに供給すると、脳のどの部分の活動が活発になるか、または、脳の活動に変化がないか等、臭いと脳の活動との関係が明らかになる。
【００７９】
なお、ＭＲＩ検査装置１００に、呼気の終了を検出する呼気終了検出センサ（図示せず、風速計等のセンサ）を設けるようにしてもよい。この場合、呼気終了検出センサが呼気を終了したことを検出すると、エアー噴射装置２５が高圧のエアーを噴射し、これに応じて、エアー噴射装置２５のノズルの前に載置されているカプセル１０が急速に押し出され、レーザー光２２によって、カプセル１０が破壊されるようにしてもよい。カプセル供給パイプＰ２が長い場合には、カプセル１０がカプセル破壊位置ＰＳに達するまでの時間が長いので、呼気終了検出センサが呼気を終了したことを検出すると、予めカプセル破壊位置ＰＳに留まっているカプセル１０にレーザー光２２を照射するようにしてもよい。
【００８０】
上記のように、呼気が終了した直後にカプセル１０を破壊すれば、呼気の直後に吸気が始まり、このタイミングに合わせて臭い１２が発生し、臭い１２が鼻Ｎに効果的に吸い込まれる。
【００８１】
また、シャッター制御手段２４ｃがシャッター２４を開いている時間を、制御装置５３が制御することによって、落下するカプセル１０の数を制御することができる。
【００８２】
なお、臭いによる脳の反応を検査するＭＲＩ検査装置１００において、カプセル１０には、同じ種類の臭いであり同じ濃度の臭いを封入し、カプセル１０を１つづつ破壊することによって発臭し、発臭する毎に消臭し、つまり、発臭、消臭を繰り返すようにして、ＭＲＩ測定するようにしてもよい。このようにする代わりに、同種異濃度の臭いがそれぞれ封入されているカプセル１０について、発臭、消臭を繰り返しながら、ＭＲＩ測定するようにしてもよい。また、異種同濃度の臭いがそれぞれ封入されているカプセル１０について、発臭、消臭を繰り返しながら、ＭＲＩ測定するようにしてもよい。さらには、異種異濃度の臭いがそれぞれ封入されているカプセル１０について、発臭、消臭を繰り返しながら、ＭＲＩ測定するようにしてもよい。
【００８３】
または、上記それぞれの条件において、異なる時間帯（朝、昼、夜、就寝前等）でＭＲＩ測定するようにしてもよい。このようにすれば、被験者Ｐの体調、パイオリズム等に応じた反応を調べることができる。
【００８４】
臭い発生・消臭装置３０を、化粧品開発に必要なデータ取りに利用するようにしてもよい。このようにすれば、心地よい臭いを客観的に特定することができる。
【００８５】
また、所定の臭いに対する被験者Ｐの脳の反応度合いに基づいて、認知症の有無、程度を判断する場合に、ＭＲＩによる脳の反応を検査するＭＲＩ検査装置１００を利用するようにしてもよい。
【００８６】
上記実施例において、ＭＲＩ６０は、脳検査手段の例であるが、この代わりに、他の脳検査手段を使用するようにしてもよい。たとえば、ＭＥＧ、ＮＩＲＳ、脳磁計、脳波計のうちの少なくとも１つを使用するようにしてもよい。なお、ＭＥＧは、空間的に脳の活動を調べる装置であり、ＮＩＲＳは、時間的に脳の活動を調べる装置である。
【００８７】
また、ＭＲＩ検査装置１００において、ＭＲＩ６０を使用して、被験者Ｐの脳の活動状態を調べる場合、臭い処理装置４０を、ＭＲＩ室Ｒ２の外に設けているが、臭い処理装置４０をシールドすれば、臭い処理装置４０をＭＲＩ室Ｒ２の内部に設けることができる。
【実施例５】
【００８８】
図９は、本発明の実施例５であるカプセル１０ａを示す図である。
【００８９】
図９（１）は、カプセル１０ａの外観図であり、図９（２）は、図９に示すカプセル１０ａの断面図である。
【００９０】
カプセル１０ａは、カプセル本体１１ａと、臭いを発する液体である発臭液体１２ａとを有する。カプセル本体１１ａは、透明であるとともに、多数の透孔１１ｈを有する。透孔１１ｈは、カプセル本体１１ａが防水通気性を有する程度の微細な透孔である。つまり、透孔１１ｈは、発臭液体１２ａが通過できないが、発臭液体１２ａがレーザーで加熱されることによって発生する気体の臭いが通過できる程度の透孔である。
【００９１】
カプセル本体１１ａを作るには、透孔１１ｈと同じような大きさのアルミニウム等、酸で溶ける物質を、ガラスの成分に混入し、これを加熱してカプセル本体１１ａを作り、その後に、酸でアルミニウム等を溶かせば、透孔１１ｈが形成される。なお、加熱してカプセル本体１１ａを作ると同時に、発臭液体１２ａをカプセル本体１１ａに入れる。
【００９２】
カプセル１０ａを使用して、臭いを発生する動作は、図３、図４で説明した動作と基本的には同じである。ただ、カプセル１０ａにレーザー光２２を照射する場合、カプセル本体１１ａを蒸発する必要はなく、レーザー光２２を照射することによって、発臭液体１２ａがカプセル本体１１ａ内で気化し、この気化した臭いが透孔１１ｈからカプセル本体１１ａの外部に出さえすればよい。臭いがカプセル本体１１ａから出た後に、カプセル本体１１ａを、エアー吸引装置２６が吸引し、吸引したカプセル本体１１ａを臭い発生装置２０の外部に排出する。
【符号の説明】
【００９３】
１０…カプセル、
１１…カプセル本体、
１２…臭い、
２０…臭い発生装置、
２２…レーザー光、
２３…凸レンズ、
Ｐ１…カプセル貯蔵パイプ、
２４…シャッター、
２４ｃ…シャッター制御装置、
Ｐ２…カプセル供給パイプ、
２５…エアー噴射装置、
Ｐ３…カプセル吸引パイプ、
２６…エアー吸引装置、
Ｍ…マスク、
Ｎ…鼻、
３２…可視光、
３３…凹レンズ、
３４…二酸化チタン層、
３５…透孔、
３６…遮蔽板、
３７…呼気通路、
３８…吸気通路、
４０…臭い処理装置、
５１…記憶装置、
５２…表示装置、
５３…制御装置、
６０…ＭＲＩ、
Ｐ…被験者。
【図１】
2016150043.tif 000003
【図２】
2016150043.tif 000004
【図３】
2016150043.tif 000005
【図４】
2016150043.tif 000006
【図５】
2016150043.tif 000007
【図６】
2016150043.tif 000008
【図７】
2016150043.tif 000009
【図８】
2016150043.tif 000010
【図９】
2016150043.tif 000011